(57)【要約】  構成要素を相互に固定する連結装置を提供する。連結装置は少なくとも１個の管状の第１構成要素（１）と、第１構成要素と相互に連結するように配置される少なくとも１個の第２構成要素（２）とを含み、第２構成要素（２）は使用に際して第１構成要素（１）の内部空間に配置される開口を有する。更に、前記開口内に挿入可能とされることにより第１構成要素（１）の内部空間に配置される少なくとも１個の第３構成要素（３，４）を備えることにより、３個の構成要素全ては相互に固定される。図１は本発明の第１実施形態を示しており、第１及び第２構成要素はパレットの交差部材を構成する。別の実施形態では、構成要素はフェンスを構成するために使用される。本発明によれば、工具を使用することなく非常に強固な構造物を組み立てることができる。
2005514279.tif 000002
【特許請求の範囲】
【請求項１】
構成要素を相互に固定する連結装置であって、
管状の第１構成要素と、
前記第１構成要素と相互に連結するように配置される第２構成要素であって、該第２構成要素は使用に際して第１構成要素の内部空間に配置される開口を有することと、
前記開口に挿入可能な第３構成要素であって、該第３構成要素が前記開口へ挿入されて第１構成要素の内部空間に配置されることにより３個の構成要素全てが相互に固定されることと
を含むことを特徴とする連結装置。
【請求項２】
前記第２構成要素は第１構成要素の側壁に形成された溝に嵌合させられることを特徴とする請求項１に記載の連結装置。
【請求項３】
パレットを構成し、複数の第１構成要素が離間して配置されることによりパレット主構造部材を構成するとともに、複数の第２構成要素が離間して配置されることによりパレットの二次的構造部材を構成することを特徴とする請求項２に記載の連結装置。
【請求項４】
前記パレットはロール等の円柱状積荷の支持を補助するように形成されており、二次的構造部材はロールを所定位置に保持するチョークとして作用する交差部材を構成することを特徴とする請求項３に記載の連結装置。
【請求項５】
所望する寸法及び重量を備えた円柱状積荷を収容するように、建造中にチョークの位置及び高さを変更可能であることを特徴とする請求項４に記載の連結装置。
【請求項６】
荷積み及び荷下ろしを補助するために付加的なチョークを備えることを特徴とする請求項４又は５に記載の連結装置。
【請求項７】
第２構成要素は第１構成要素の側壁を貫通する開口に嵌合することを特徴とする請求項１に記載の連結装置。
【請求項８】
フェンスを構成し、複数の第１構成要素が離間して配置されることによりフェンスの支柱を形成するとともに、少なくとも１個の第２構成要素が少なくとも２個の支柱間で延出することによりフェンスの横桟を形成することを特徴とする請求項７に記載の連結装置。
【請求項９】
前記横桟を多様な角度で設置可能とすることにより、例えば円形となるようにフェンスの方向を変更することを特徴とする請求項８に記載の連結装置。
【請求項１０】
前記支柱は基礎桟を使用して地面に固定されることを特徴とする請求項８又は９に記載の連結装置。
【請求項１１】
薄板或いはパネルが、離間して配置された支柱の間で延出することを特徴とする請求項８乃至１０のいずれか１項に記載の連結装置。
【請求項１２】
２個の第３構成要素が各第２構成要素に挿入され、２個の第３構成要素は各々が第１構成要素の対向する内壁に当接するように離間して配置されることにより、第２構成要素の第１構成要素に対する相対移動が阻止されることを特徴とする請求項１乃至１１のいずれか１項に記載の連結装置。
【請求項１３】
各構成要素は管を構成することを特徴とする請求項１乃至１２のいずれか１項に記載の連結装置。
【請求項１４】
前記管は実質的に矩形断面を有することを特徴とする請求項１３に記載の連結装置。
【請求項１５】
構成要素はプラスチック材料、金属或いは木材から形成され、或いはこれらの材料の組合せから形成されることを特徴とする請求項１乃至１４のいずれか１項に記載の連結装置。
【請求項１６】
添付の図面を参照し、且つ添付の図面に例示されているように記載されているものと実質的に同様な連結装置。
【発明の詳細な説明】
【技術分野】
【０００１】
本発明は連結装置に関し、詳細には、多様な目的のために構成要素を相互に固定する装置に関する。
【背景技術】
【０００２】
多くの産業では、紙及びプラスチックから鋼まで、ロール状の製品を製造する。このようなロール等の円柱状の積荷は、処理、保管及び運搬を補助する製品（通常はパレット）を必要とする。
【発明の開示】
【発明が解決しようとする課題】
【０００３】
本発明の目的は、構成要素を相互に固定する連結装置を提供することにある。
【課題を解決するための手段】
【０００４】
連結装置は管状の第１構成要素と、第２構成要素と、第３構成要素とを含む。第２構成要素は管状の第１構成要素と相互に連結するように配置される。第２構成要素は使用に際して第１構成要素の内部空間に配置される開口を有する。第３構成要素は第１構成要素の内部空間に配置されるように前記開口に挿入可能とされており、これにより３個の構成要素全部は相互に結合される。
【０００５】
本発明によれば、特別な工具を使用することなく構成要素を強固且つ確実に連結することができる。
第２構成要素は第１構成要素の側壁に形成された溝と嵌合させられる。
【０００６】
本発明に係る連結装置の一実施形態はパレットを構成する。パレットにおいて、複数の第１構成要素は離間して配置されることによりパレットの主構造部材を構成する。複数の第２構成要素は離間して配置されることによりパレットの二次的構造部材を構成する。
【０００７】
本発明のパレットはロール等の円柱状積荷の支持を補助するように形成されており、二次的構造部材はロールを所定位置に保持するチョークとして作用する交差部材を構成する。
従って、本発明の実施形態によれば、バンド掛けを行うことなくロールをパレットに積むことができる。また本実施形態によれば、フォークリフト及びパレットトラック等の多様な派生物によりロールを取り扱うことができる。本実施形態はロールのラックへの保管を可能とするとともに、ロールの運搬及び出荷に際して使用することができる。
【０００８】
本実施形態によれば、建造中にチョークの位置及び高さを変更することにより、所望する寸法及び重量を備えた円柱状積荷を収容することができる。
荷積み及び荷下ろしを補助するために付加的なチョークが設けられてもよい。このようなチョークを使用すれば、荷積みを行う際のロールの行き過ぎが抑制される。
【０００９】
所望するのであれば、チョークに代えて或いはチョークに加えて、ロールを補助するためにサドルが設けられてもよい。
本発明の別の実施形態において、第２構成要素は第１構成要素の側壁を貫通する開口に嵌合する。
【００１０】
例えば、連結装置はフェンスを構成し、複数の第１構成要素が離間して配置されることによりフェンスの支柱を形成するとともに、少なくとも１個の第２構成要素が少なくとも２個の支柱の間で延出することによりフェンスの横桟を形成する。
【００１１】
横桟は多様な角度で設置され、例えば円形にする等、フェンスの方向を変えることができる。
支柱は基礎桟を使用して地面に固定してもよい。
薄板或いはパネルを、離間して配置された支柱の間で延出させてもよい。
【００１２】
連結装置において、２個の第３構成要素が各第２構成要素に挿入されており、２個の第３構成要素は離間して配置され、各々が第１構成要素の対向する内壁に当接することにより、第２構成要素の第１構成要素に対する相対移動が阻止される。
【００１３】
各構成要素は管を構成するとともに、管は実質的に矩形断面を有する。
構成要素はプラスチック材料、金属、木材、或いはこれらの材料の組合せにより形成される。
一例として、本発明の特定の実施形態を、添付する図面を参照しつつ詳述する。
【発明を実施するための最良の形態】
【００１４】
図１に示すパレットは３個の主構造部材１を含み、主構造部材１は４個の二次的構造部材２と交差する。
【００１５】
各二次的構造部材２は主構造部材１の側壁に形成された溝５に嵌合する。
各二次的構造部材２が主構造部材１の１個に配置されると、二次的構造部材はその側壁を通過する２個の矩形断面通路を有する。
構造部材を相互に固定するためには、図２に示すように、より小さい矩形断面を有する構成要素３及び４が主構造部材１に装入されることにより、二次的構造部材２の側壁に形成された矩形開口に滑入する。
【００１６】
構成要素３は主構造部材１の一方の上部角と当接するとともに、構成要素４は主構造部材１の反対側の上部角と当接する。これにより非常に強固な構造物が製造されるとともに、二次的構造部材２は主構造部材１に対する相対移動に対抗して固定される。
【００１７】
部材２の側壁に設けられた凹部は僅かに小さく形成されており、構成要素３及び４は強制的に位置決めされて、摩擦力により所定位置に固定保持される。
図１及び図２に示す全ての構成要素は、プラスチック材料の押し出しにより最初に形成される。
【００１８】
内側に配置される２個の二次的構造部材２は外側に配置される２個の部材よりも僅かに高くされており、ロール等の円柱状積荷がパレット上に配置されたときにチョーク効果が得られる。このようなロールは図３において符号６により示されている。
【００１９】
構成要素の配置によってロール寸法の多様性に応じることが可能であるとともに、製造中に部材２の高さを予め選択することにより、移動に対する抵抗レベルを変化させることができる。
【００２０】
二次的チョーク７を更に使用してもよい。
図４に示す本発明の実施形態はフェンスを構成しており、垂直な支柱８及び横桟９により形成される。
【００２１】
この実施形態では、側面の溝への嵌合に代えて、横桟９は支柱８に設けられた矩形開口１０（図６参照）を通過する。各横桟９は一対の四角形状孔を有する。孔は垂直方向下方へ延びて横桟を通過しており、その孔の部分において各横桟は支柱８の一個に配置される。これにより、より小さく四角形状断面を有する固定構成要素１１及び１２が支柱８の上部から下方へ支柱８内に強制的に移動させられ且つ横桟９の孔を通過させられて、全ての構成要素が相互に固定される。各構成要素１１は支柱８の一方の内壁と当接するとともに、他方の構成要素１２は支柱８の反対側の内壁と当接することにより、横桟９は支柱８に対する相対移動に対抗して固定される。
【００２２】
固定構成要素１１及び１２が挿入された後、蓋１３が支柱に嵌合される。
図４及び図５に示す構成は基礎桟１４を備えており、基礎桟１４が支柱８の底部に固定されることにより、支柱は地面へ容易に配置される。
【００２３】
図６に示す別の構成において、支柱８には基板１５が設けられており、基板１５は支持面にボルト締めされる。
【００２４】
図４及び図５に示すフェンスの構成は真直な線に沿って延出しているが、幾つかの支柱において開口１０を隣接面に設けることによりフェンスが９０度の角部を有するように構成することもできる。
【００２５】
フェンスの支柱８は四角形状である必要はなく、開口１０は９０度以外の角度で設けられてもよい。これにより特定のフェンスにおいて所望する角度となるように方向を変更することができる。
【００２６】
本願に関連して本明細書と同時に或いは先立って提出されている全ての書類及び文書、及び本明細書と共に縦覧に開放された全ての書類及び文書に対して読者の注意は向けられる。また、これら書類及び文章全ての内容は言及によりここに組み込まれる。
【００２７】
本明細書に開示された全ての特徴（添付の請求項、要約書及び図面を含む）及び／又はあらゆる方法或いは処理の全工程はいかなる組合せにおいて結合されてもよいが、少なくともそのような特徴及び／又は工程が相互に排他的となる組合せは除く。
【００２８】
本明細書に開示された各特徴（添付の請求項、要約書及び図面を含む）は同じ、同等或いは同様な目的を果たす代替の特徴により、他の方法が明確に記載されていなければ、置き替えられてもよい。従って、他の方法が明確に記載されていなければ、開示された各特長は同等或いは同様な特徴の一般的な一連物の一例に過ぎない。
【００２９】
本発明は上記実施形態の詳細に限定されない。本発明は本明細書に開示された特徴（添付の請求項、要約書及び図面を含む）の新規なもの、或いは新規な結合物まで、或いは開示されたあらゆる方法或いは処理における工程の新規なもの或いは新規な結合物まで拡大される。
【図面の簡単な説明】
【００３０】
【図１】パレットを構成する本発明の一実施形態を示す斜視図。
【図２】パレットの主構造部材の内部を示すパレットの側面図。
【図３】パレットの使用状態を示す斜視図。
【図４】フェンスを構成する本発明の第２実施形態を示す側面図。
【図５】図４に示すフェンスの斜視図。
【図６】フェンスの支柱を固定するための代替方法を示す。
【図１】
2005514279.tif 000003
【図２】
2005514279.tif 000004
【図３】
2005514279.tif 000005
【図４】
2005514279.tif 000006
【図５】
2005514279.tif 000007
【図６】
2005514279.tif 000008
【国際調査報告】
2005514279.tif 000009
2005514279.tif 000010
2005514279.tif 000011
2005514279.tif 000012
2005514279.tif 000013